(57)【要約】【課題】障害釘の取り付け及び取り外しが簡単に行なえその取付作業の簡素化を図ると共にクリーニング及び廃棄処分の容易化を可能とした弾球遊技機の遊技盤を提供する。【解決手段】合成樹脂材により成形され無数の釘取付穴２６が所定位置に開設された遊技盤本体４ａと、遊技盤本体４ａの裏面に密着するようにして取着される貼合板４ｂと、軸釘部２５ａの基端部に該軸釘部２５ａより大径の短柱体２７が一体に設けられた障害釘２５とを有し、前記各釘取付穴２６は、遊技盤本体４ａの表側に開設され軸釘部２５ａが挿通される軸孔２６ａと、遊技盤本体４ａの裏側に開設され短柱体２７が嵌合される保持孔２６ｂとからなり、遊技盤本体４ａの裏側から各釘取付穴２６に各軸釘部２５ａが遊技盤本体４ａの表面に突出するようにして各障害釘２５を嵌入し、遊技盤本体４ａの裏面に各釘取付穴２６を塞ぐように貼合板４ｂを密着させて取着した構成からなる。【選択図】図４
2006149837.tif 000002
【特許請求の範囲】
【請求項１】
合成樹脂材により平板状に成形され障害釘を嵌入する無数の釘取付穴が所定位置に開設された遊技盤本体と、前記遊技盤本体の裏面に密着するようにして取着される貼合板と、軸釘部の基端部に該軸釘部より大径の短柱体が一体に設けられた障害釘とを有し、
前記各釘取付穴は、前記遊技盤本体の表側に開設され前記軸釘部が挿通される軸孔と、前記遊技盤本体の裏側に開設され前記軸孔と連通すると共に前記短柱体が嵌合される保持孔とからなり、
前記遊技盤本体の裏側から前記各釘取付穴に前記各軸釘部が該遊技盤本体の表面から前側へ突出するようにして前記各障害釘を嵌入し、前記遊技盤本体の裏面に前記各釘取付穴を塞ぐように前記貼合板を密着させて取着したことを特徴とする弾球遊技機の遊技盤。
【請求項２】
前記貼合板は前記遊技盤本体の裏面に着脱自在に取着される請求項１記載の弾球遊技機の遊技盤。
【発明の詳細な説明】
【技術分野】
【０００１】
本発明は、合成樹脂材の一体成型によって成形される弾球遊技機の遊技盤に関するものである。
【背景技術】
【０００２】
従来、例えば、弾球遊技機の一種であるパチンコ遊技機の遊技盤は、ベニヤ合板を所定の寸法に切断して遊技盤本体を成形し、該遊技盤本体の表面に適宜装飾的な模様を描いたセル板を貼った後、所定位置に入賞口等の盤面部品を装着するための取付穴を開設している。そして、その表面にゲージに合わせて無数の障害釘を植設し、また、内側・外側ガイドレールを渦巻状に敷設すると共に前記各取付穴にそれぞれ対応する盤面部品を挿入し装着するなどして遊技盤を成形するようにしている。
【０００３】
しかしながら、前記遊技盤では、取付穴を開口する際に発生する切削屑が遊技盤本体とセル板との隙間に入り込んでセル板を遊技盤本体から浮かせてしまい、盤面部品が遊技盤本体に対し真直ぐに取り付けられなくなるという事態が発生することがある。このため、遊技盤の製造過程においては、遊技盤本体とセル板との間に入り込んだ切削屑を除去する作業がしばしば行なわれていた。これら切削屑は、細かい木屑などであって利用価値もないため廃棄されるが、資源活用の観点からすれば、無駄が多いことになる。また、遊技盤の製造過程において切削屑を清掃する作業はかなりの比重を占めており、製造工程の簡素化の点からもその改善策が望まれている。
【０００４】
これに対し、前記資源活用の観点から無駄を無くし、また、遊技盤の製造過程において切削屑を掃除する作業を無くして製造工程の簡素化を図るべく、遊技盤を合成樹脂材の成型により成形するようにしたものがある。この遊技盤であっても、その表面にゲージに合わせて無数の障害釘を植設するようにしている（例えば、特許文献１参照。）。
【特許文献１】特開平５−２９３２１１号公報（第６頁段落００２７〜第７頁段落００３１、図１５（Ａ）（Ｂ））
【発明の開示】
【発明が解決しようとする課題】
【０００５】
しかしながら、前記のように合成樹脂材の遊技盤の表面に障害釘を打ち込んで植設することは、ベニヤ合板のように容易ではなく、ともすると、打ち込む際に遊技盤内に亀裂が生じ遊技盤自体を交換せねばならなくなる危険性がある。また、障害釘の引き抜き力を増強するため障害釘の周面にローレット加工あるいは螺旋状のねじり加工を施さねばならず、面倒な手間が掛かるという課題がある。
【０００６】
また、パチンコホールに列設されるパチンコ遊技機にあっては、人気が良く３年以上も稼動しているものも少なくない。そこで、この種パチンコ遊技機は、他の関連ホールや中古市場に出回る前に、一度、遊技盤面を綺麗にクリーニングする場合がある。しかしながら、遊技盤面には無数の障害釘が植設されている関係上、これら障害釘が邪魔して十分なクリーニングができないのが現状である。更に、最終的に、遊技盤を廃棄処分する際、リサイクル上、材料別に分別する必要性があるが、障害釘は遊技盤面にしっかりと打ち込まれていることから、引き抜くに非常に面倒で時間の掛かる作業を強いられ苦慮している。
【０００７】
そこで、本発明は上記課題を解決すべくなされたもので、障害釘の取り付け及び取り外しが簡単に行なえるようにして取付作業の簡素化を図ると共にクリーニング及び廃棄処分の容易化を可能とした弾球遊技機の遊技盤を提供することを目的とするものである。
【課題を解決するための手段】
【０００８】
かかる目的を達成するため、本発明に係る弾球遊技機の遊技盤は、合成樹脂材により平板状に成形され障害釘を嵌入する無数の釘取付穴が所定位置に開設された遊技盤本体と、遊技盤本体の裏面に密着するようにして取着される貼合板と、軸釘部の基端部に該軸釘部より大径の短柱体が一体に設けられた障害釘とを有し、前記各釘取付穴は、遊技盤本体の表側に開設され軸釘部が挿通される軸孔と、前記遊技盤本体の裏側に開設され軸孔と連通すると共に短柱体が嵌合される保持孔とからなり、前記遊技盤本体の裏側から各釘取付穴に各軸釘部が遊技盤本体の表面から前側へ突出するようにして各障害釘を嵌入し、遊技盤本体の裏面に各釘取付穴を塞ぐように貼合板を密着させて取着した構成からなる。
【０００９】
また、この際、前記貼合板は、遊技盤本体の裏面に着脱自在に取着されることが好ましい。
【発明の効果】
【００１０】
請求項１記載の弾球遊技機の遊技盤にあっては、遊技盤に障害釘を打ち込む必要性がないので、障害釘の取り付けが簡単になって障害釘の取付作業の簡素化が図られる。
【００１１】
また、請求項２記載の弾球遊技機の遊技盤にあっては、貼合板を取り外すことにより総ての障害釘が一気に取り外せるので、遊技盤のクリーニング及び廃棄処分において遊技盤と障害釘との分別が多くの時間も掛けずに容易に行なえるという効果がある。
【発明を実施するための最良の形態】
【００１２】
以下、本発明に係る弾球遊技機の遊技盤の実施の形態を図面に基づき説明する。本発明は、例えば、パチンコ遊技機、アレンジボール機、雀球遊技機、パチスロ機等の弾球遊技機に適用できるが、この内、パチンコ遊技機について説明する。
【００１３】
図１は本発明が適用されるパチンコ遊技機の正面図、図２は透明板保持枠と前面板を開放し遊技盤を外したパチンコ遊技機の斜視図である。パチンコ遊技機Ａは、外側に木製の外枠１を有し、該外枠１の前側に一側を軸着して額縁状の前面枠２が回動自在に装着される。前面枠２の上部に方形状の窓口３が開設され、該窓口３に本発明に係る遊技盤４が前側から嵌入固定されるようになっている。また、前面枠２の下部前面の一側に打球発射レール５、該打球発射レール５に供給された弾球であるパチンコ球を発射させる打球槌６が装着される。
【００１４】
前面枠２の前面には、その上部に前記遊技盤４の前面を覆う透明板保持枠７が開閉自在に装着される。また、その下方に打球発射レール５の前側を覆う前面板８が開閉自在に装着されている。前記透明板保持枠７は遊技盤４の表面が臨む方形状の開口９が開設され、該開口９に透明板であるガラス板１０が嵌合されている。また、前記前面板８の前面に前記打球発射レール５の発射位置に供給するパチンコ球を貯留するための上球皿１１が装着され、その下方に前記上球皿１１から溢れるパチンコ球を貯留するための下球皿１２が装着されている。
【００１５】
前記下球皿１２の一側に、前面枠２の前面に位置して打球の発射力を調節するための操作ハンドル１３が装着される。１４は、下球皿１２の他側に連接される灰皿である。ま
た、前記前面枠２の前面であって窓口３の回りに、窓口３に嵌入した遊技盤４の前面に係合して該遊技盤４を固定する回動自在な係合片１５が複数個軸着されている。
【００１６】
前記遊技盤４の表面に、内側ガイドレール１６ａと外側ガイドレール１６ｂとが渦巻状に敷設され、これら内・外側ガイドレール１６ａ，１６ｂにより囲まれる部位を遊技部Ｙとしている。遊技部Ｙには、ほぼ中央に表示部１７ａを備えた可変表示装置１７が装着される。また、その下方にパチンコ球の入賞により前記表示部１７ａに表示される数字、記号、図柄等の情報ａを変動させる始動入賞口１８が配置される。この始動入賞口１８は、パチンコ球が入賞し難い起立状態とパチンコ球が入賞し易い傾動状態とに変換自在な一対の開閉翼１９，１９が設けられている。更に、その下方に位置して前記変動した情報ａが一定時間経過後に停止して特定の表示（例えば「７７７」）を示し、遊技者にとって有利な特別遊技状態になったとき、一定の条件の下で開閉扉２０ａを所定回数開成させ一度に多くの入賞球が得られる入賞装置２０が配置される。
【００１７】
遊技部Ｙの下端部であり内側ガイドレール１６ａの内側に沿ってアウト球口２１が開設される。また、遊技盤４の前面であって上部両隅角部にそれぞれレンズ部材２２が装着される。各レンズ部材２２はその内部にＬＥＤなどの発光体を取着した配線基板（図示せず。）が配置され、該発光体を点灯させることにより各レンズ部材２２が所定の色に発光して電飾効果が高められるようにしている。
【００１８】
次に、前記遊技盤４について詳しく説明すると、該遊技盤４は図３、図４に示すように、硬質の合成樹脂材（例えば、ＡＢＳ樹脂）の一体成型により成形されほぼ方形状の平板状をなす遊技盤本体４ａと、同じ合成樹脂材（例えば、ＡＢＳ樹脂）の一体成型によって遊技盤本体４ａより一回り小さく成形され遊技盤本体４ａの裏面に密着するようにして取着される貼合板４ｂとからなる。そして、遊技盤本体４ａには、両側角部を残した下縁部を除き残りの外周縁に沿って、遊技盤本体４ａを囲うように上辺部の補強用のリブ２３ａ、両側辺部の補強用のリブ２３ｂ，２３ｂ、下辺部両側の補強用のリブ２３ｃ，２３ｃが一体に突設されている。これら補強用のリブ２３ａ，２３ｂ，２３ｃは、図５に示すように表側と裏側へ同一面状にかつ遊技盤本体４ａに対し直角に突出するようにして設けられている。なお、遊技盤本体４ａ下縁部の中央寄りにリブ２３ｃを設けなかったのは、その位置に外側ガイドレール１６ｂやファール球の球通路が配置され、これらの邪魔になるからである。
【００１９】
遊技盤本体４ａのほぼ中央に前記可変表示装置１７を装着するための第１取付穴２４ａ、その下方に始動入賞口１８を装着するための第２取付穴２４ｂ、また、その下方に入賞装置２０を装着するための第３取付穴２４ｃが開設される。更に、第３取付穴２４ｃの下方にアウト球口２１が開設されている。遊技盤本体４ａの上部左右の隅角部には、レンズ部材２２を装着するための第４取付穴２４ｄ，２４ｄが開設される。これら第１〜第４取付穴２４ａ〜２４ｄ及び後記する釘取付穴２６は、遊技盤本体４ａの一体成型と同時に開設されるもので、量産に適している。
【００２０】
また、遊技盤本体４ａにはその表面に所定のゲージに合わせて無数の障害釘２５が突設されるが、本発明の場合は、総ての障害釘２５は遊技盤本体４ａの裏側から嵌入して取り付けられるようになっている。更に詳しく説明すると、図４、図５に示すように各障害釘２５に対応位置させて遊技盤本体４ａに無数の釘取付穴２６が開設される。各釘取付穴２６は、表側に開設され障害釘２５の軸外径とほぼ同じ内径の軸孔２６ａと、裏側に開設され軸孔２６ａと連通する保持孔２６ｂとからなる。保持孔２６ｂは軸孔２６ａよりも大径に成形され、後記する障害釘２５の短柱体２７が嵌合して合致する大きさ・形状を有する。
【００２１】
一方、障害釘２５は、金属製であって所定の長さを有する軸釘部２５ａの基端部に短柱体２７が一体に設けられている。軸釘部２５ａは、先端部に該軸釘部２５ａより大径の頭部がなく全体に真直ぐである。短柱体２７は、前記釘取付穴２６の保持孔２６ｂに嵌合して合致する大きさ・形状を有し、しかも、軸釘部２５ａの中心軸線に対し直交する横断面が円形以外の形状に設定される。本発明では、図６（イ）に示すように横断面形状が正方形に設定されている。これは、釘取付穴２６に障害釘２５を嵌入して取り付けたとき、障害釘２５が軸釘部２５ａの中心軸線に直交する面内で回転しないようにするためであり、仮に、回転してしまうと障害釘２５の釘調整が狂ってしまうことになるからである。また、短柱体２７及び保持孔２６ｂの横断面の形状は、図６（ロ）に示すような円形の両側を平行にカットしたダブルＤ型でも良い。これ以外に、例えば、多角形、楕円形、Ｄ型、十字型等円形以外の形状が選択される。
【００２２】
貼合板４ｂは縦長方形状の平板からなり、遊技盤本体４ａの裏面で両側辺部のリブ２３ｂ，２３ｂ間に嵌り込む程度の横幅を有する。その上・下側縁に沿ってそれぞれ裏側へ直角に折れ曲る補強用のリブ２８ａ，２８ｂが一体に設けられる。また、貼合板４ｂには、遊技盤本体４ａに開設された第１〜第４取付穴２４ａ〜２４ｄと同じ大きさの第１〜第４取付穴２９ａ〜２９ｄが同位置にそれぞれ開設されている。これら第１〜第４取付穴２９ａ〜２９ｄも貼合板４ｂの成型と同時に成形される。
【００２３】
そして、裏面が上になる状態で遊技盤本体４ａを水平に配置し、その上側から各釘取付穴２６に各障害釘２５を軸釘部２５ａが下側になるようにして嵌入する。これにより、短柱体２７が保持孔２６ｂ内に回転不能に嵌合し、軸釘部２５ａが遊技盤本体４ａの表側に所定の長さ突出する。また、この際、短柱体２７の裏面は、遊技盤本体４ａの裏面より僅かに裏側へ突出するように位置する。この状態で、遊技盤本体４ａの裏面に、貼合板４ｂを密着させるようにして取着する。貼合板４ｂの固定方法は、例えば、各短柱体２７部位を除き遊技盤本体４ａ裏面に接着剤を塗布又は溶着して接合する。ただ、無理にこじれば貼合板４ｂが外れる程度に接着又は溶着する。これにより、図５、図６に示すように各障害釘２５がガタツクことなくしっかりと固定される。更に、遊技盤本体４ａの第１〜第４取付穴２４ａ〜２４ｄが貼合板４ｂの第１〜第４取付穴２９ａ〜２９ｄに合致する。障害釘２５の短柱体２７の後端面と該短柱体２７に対向する貼合板４ｂの前面部位とを、例えば凸部と該凸部に合致する凹部に成形し、これら凸部と凹部を重ね合わせることにより、遊技盤本体４ａに貼合板４ｂを圧接するようにしても良い。
【００２４】
前記遊技盤本体４ａにおけるその表面からのリブ２３ａ，２３ｂ，２３ｃの高さは、同じく表面からの各障害釘２５よりも高くなっている。これは、例えば、輸送のため複数の遊技盤４を多段に積み重ねても、障害釘２５が上の遊技盤４の裏面に当接して無用に曲るといったことがなく、障害釘２５を安全に保護するためである。
【００２５】
遊技盤４は、透明な合成樹脂材又は不透明な合成樹脂材のいずれによって成形しても良いが、本発明にあっては、遊技盤４を不透明な合成樹脂材により成形している。そこで、遊技盤本体４ａの表面に、このパチンコ遊技機Ａに相応しい装飾模様を描いたセル板３０が接着層を介して貼着される。
【００２６】
このように、本発明は遊技盤本体４ａの裏側から各釘取付穴２６に障害釘２５を嵌入し、その裏側から貼合板４ｂを密着するように取着するだけで障害釘２５の固定作業が済むので、極めて簡単であり、作業能率が向上する。また、古くなった遊技盤４を廃棄する場合、遊技盤本体４ａ裏側の貼合板４ｂを外すことにより、各障害釘２５が自由に抜け落ちるので、その取り外しも簡単に行なえるばかりか、材料による分別も容易となり廃棄処理がし易い。
【００２７】
前記遊技盤本体４ａに対し貼合板４ｂを着脱自在に取着できるようにしても良い。すなわち、図７に示すように遊技盤本体４ａの上辺部のリブ２３ａの両側と下辺部両側のリブ２３ｃ，２３ｃの裏面に軸３１により該裏面が含まれる面内で回動し得る固定具３２をそれぞれ軸着する。そして、無数の障害釘２５を遊技盤本体４ａの釘取付穴２６に嵌入して取着した後に、遊技盤本体４ａの裏面に貼合板４ｂを密着するように押し込み、図８に示すように各固定具３２を回動させて貼合板４ｂの上・下辺部のリブ２８ａ，２８ｂの裏面に係合させる。これにより、遊技盤本体４ａに貼合板４ｂが密着するようにして固定される。同時に、貼合板４ｂにより各障害釘２５もしっかりと固定される。
【００２８】
また、この際、貼合板４ｂ中央部の遊技盤本体４ａに対する圧接力は弱くなるため、例えば図９に示すように第１取付穴２４ａ，２９ａに前側から嵌入して装着される可変表示装置１７の両側に、支軸３３により遊技盤本体４ａの表面と平行な面内で回動する係止具３４を軸着する。そして、第１取付穴２４ａ，２９ａに前側から可変表示装置１７を装着した後に、前記各係止片３４を外側へ回動させて貼合板４ｂの裏面に係合させて、これら係止具３４と可変表示装置１７の前面周縁から外側へ張り出される取付板３５とにより遊技盤本体４ａと貼合板４ｂとを挟着すれば、貼合板４ｂが遊技盤本体４ａに強固に圧接されることになり、各障害釘２５のガタツキが防止される。
【００２９】
このようにすれば、前記廃棄処理が更に容易になるばかりか、例えば、パチンコホールで使用されているパチンコ遊技機Ａであって、汚れた遊技盤４面をクリーニングする場合、各固定具３２を回動して係合を解き前記遊技盤本体４ａから貼合板４ｂを外せば、総ての障害釘２５を一気に抜くことができ、これら障害釘２５が邪魔にならずに遊技盤４面がクリーニングし易くしかも綺麗になる。また、各障害釘２５が汚れていれば、これらをまとめて洗浄することもでき便利である。
【００３０】
本発明に係る遊技盤４、すなわち遊技盤本体４ａと貼合板４ｂ、を透明な合成樹脂材（例えば、アクリル樹脂、ポリカーボネイト樹脂）により成形したときは、遊技盤本体４ａと貼合板４ｂとの間にセル板３０を介装することが好ましい。これにより、セル板３０の表面が遊技盤本体４ａにより覆われて、キズが付きにくく常に綺麗な状態を保持できる。図１０は、同じく硬質の透明な合成樹脂材により成形した遊技盤４１を示す。この場合は、例えば、その後側に遊技盤４１とほぼ同じ大きさの表示部３３ａを前面に有する大型の可変表示装置３３を配置して、遊技の興趣の増大を図ることができるようにしている。よって、セル板３０は使用されない。
【００３１】
この遊技盤４１は、構成上透明である点以外ほとんど前記不透明な遊技盤４と変わることはないので、同一部位は本発明と同一符号を付すことにより詳しい説明は省略する。ただ、前記可変表示装置１７、レンズ部材２２が遊技盤４１に取り付けられない関係上、前記第１取付穴２４ａ及び第４取付穴２４ｄ，２４ｄは開設されてない。よって、始動入賞口１８と入賞装置２０のみが装着される。
【００３２】
また、図１１に示すように同じ透明な遊技盤４１の裏面であって、例えば後側にＬＥＤ、ランプ等の発光体が配設される部位に、側辺部のリブ２３ｂ，２３ｂの内側を含みローレットやダイヤカットなどによる凹凸部３６を設け、該凹凸部３６により所望形状の図柄を描出し、前記発光体により前記凹凸部３６を照射するようにしても良い。これにより、光が乱反射され遊技者が見て楽しむことができる。この場合、凹凸部３６を貼合板４ｂの裏面と遊技盤本体４ａの側辺部のリブ２３ｂの裏面に設けたが、前記側辺部のリブ２３ｂを含め遊技盤本体４ａの裏面に凹凸部３６を設けるようにしても良い。
【００３３】
図では、遊技盤本体４，４１の外周縁に沿って表側と裏側とにそれぞれ突設され所謂断面Ｔ字形になるようなリブ２３ａ〜２３ｃを示したが、これらリブ２３ａ〜２３ｃは、この形状に限定されるものではなく、例えば、表側又は裏側に突出する断面Ｌ字形、表側又は裏側に突出する断面Ｆ字形など反りを生じない所要の強度を持った形状であれば良い。
【００３４】
以上のように、本発明は、遊技盤本体４ａの裏側から各釘取付穴２６に障害釘２５を嵌入し、各障害釘２５を覆うようにしてその裏面に貼合板４ｂを取着して障害釘２５を固定するようにしたので、障害釘２５を遊技盤４面に打ち込む必要性がなく障害釘の取付作業が簡素化されるばかりか、それにより遊技盤４が破損するといったこともない。
【００３５】
また、貼合板４ｂを着脱自在に取着するようにすれば、該貼合板４ｂを外すことにより遊技盤本体４ａから総ての障害釘２５が一気に取り外せることになる。これにより、遊技盤４のクリーニング及び廃棄処分において遊技盤４と障害釘２５との分別が多くの時間も掛けずに容易に行なえる。
【図面の簡単な説明】
【００３６】
【図１】本発明が適用されるパチンコ遊技機の正面図。
【図２】透明板保持枠と前面板を開放し遊技盤を外したパチンコ遊技機の斜視図。
【図３】本発明に係る遊技盤の斜視図。
【図４】同遊技盤の裏から見た分解斜視図。
【図５】同遊技盤の一部の縦断面図。
【図６】（イ）は図５のＸ−Ｘ線断面図、（ロ）は他の実施の形態の短柱体と保持孔とを示す遊技盤本体の背面断面図。
【図７】貼合板が着脱自在に取着される遊技盤の裏から見た分解斜視図。
【図８】同遊技盤の一部の縦断面図。
【図９】可変表示装置により遊技盤本体に貼合板を圧接する状態を示す遊技盤の平面断面図。
【図１０】透明な合成樹脂材からなる遊技盤と可変表示装置とを並置した斜視図。
【図１１】凹凸部を設けた透明な合成樹脂材からなる遊技盤の裏面斜視図。
【符号の説明】
【００３７】
４                遊技盤
４ａ              遊技盤本体
４ｂ              貼合板
２５              障害釘
２５ａ            軸釘部
２６              釘取付穴
２６ａ            軸孔
２６ｂ            保持孔
２７              短柱体
４１              遊技盤
Ａ                弾球遊技機（パチンコ遊技機）
【図１】
2006149837.tif 000003
【図２】
2006149837.tif 000004
【図３】
2006149837.tif 000005
【図４】
2006149837.tif 000006
【図５】
2006149837.tif 000007
【図６】
2006149837.tif 000008
【図７】
2006149837.tif 000009
【図８】
2006149837.tif 000010
【図９】
2006149837.tif 000011
【図１０】
2006149837.tif 000012
【図１１】
2006149837.tif 000013